(57)【要約】【課題】ユーザが容易に投影画面を変形させることが可能な制御装置等を提供する。【解決手段】制御装置３００は、投影面に投影画面を投影する投影装置を制御する。制御装置３００は、表示制御部３１１と、操作受付部３１２と、投影制御部３１３とを含む。表示制御部３１１は、投影面に投影される投影画面の投影範囲をタッチパネル部３０４に表示する。操作受付部３１２は、タッチパネル部３０４に表示されている投影範囲を変形させるタッチ操作を受け付ける。投影制御部３１３は、操作受付部３１２により受け付けられたタッチ操作に応じて変形した投影範囲に対応して変形した投影画面を投影面に投影するように投影装置を制御する。【選択図】図２
2018046511.tif 000002
【特許請求の範囲】
【請求項１】
投影面に投影画面を投影する投影装置を制御する制御装置であって、
前記投影面に投影される前記投影画面の範囲を表示部に表示する表示制御手段と、
前記表示部に表示されている前記範囲を変形させる操作を受け付ける操作受付手段と、
前記操作受付手段により受け付けられた前記操作に応じて変形した前記範囲に対応して変形した前記投影画面を前記投影面に投影するように前記投影装置を制御する投影制御手段と、
を備える制御装置。
【請求項２】
前記投影制御手段は、さらに、変形した前記投影画面を、前記投影装置が備える投影レンズを移動させることにより、光学的に拡大して前記投影面に投影するように前記投影装置を制御する、
ことを特徴とする請求項１に記載の制御装置。
【請求項３】
前記操作受付手段は、前記表示部を含むタッチパネルから、タッチ操作を受け付ける、
ことを特徴とする請求項１または２に記載の制御装置。
【請求項４】
前記表示制御手段は、矩形の前記範囲を表示し、
前記操作受付手段は、前記範囲のいずれかの頂点を移動させる前記操作を受け付け、
前記投影制御手段は、前記操作による前記頂点の移動量及び移動方向に対応する台形補正を行うことにより変形した前記投影画面を前記投影面に投影するように前記投影装置を制御する、
ことを特徴とする請求項１乃至３のいずれか１項に記載の制御装置。
【請求項５】
前記表示制御手段は、矩形の前記範囲を表示し、
前記操作受付手段は、前記範囲を拡大または縮小させる前記操作を受け付け、
前記投影制御手段は、前記操作により拡大または縮小された前記範囲に対応して拡大または縮小された前記投影画面を前記投影面に投影するように前記投影装置を制御する、
ことを特徴とする請求項１乃至４のいずれか１項に記載の制御装置。
【請求項６】
投影面に投影画面を投影する投影装置を制御する制御装置が実行する制御方法であって、
前記投影面に投影される前記投影画面の範囲を表示部に表示する表示制御ステップと、
前記表示部に表示されている前記範囲を変形させる操作を受け付ける操作受付ステップと、
前記操作に応じて変形した前記範囲に対応して変形した前記投影画面を前記投影面に投影するように前記投影装置を制御する投影制御ステップと、
を備える制御方法。
【請求項７】
投影面に投影画面を投影する投影装置を制御するコンピュータを、
前記投影面に投影される前記投影画面の範囲を表示部に表示する表示制御手段、
前記表示部に表示されている前記範囲を変形させる操作を受け付ける操作受付手段、
前記操作受付手段により受け付けられた前記操作に応じて変形した前記範囲に対応して変形した前記投影画面を前記投影面に投影するように前記投影装置を制御する投影制御手段、
として機能させることを特徴とするプログラム。
【発明の詳細な説明】
【技術分野】
【０００１】
本発明は、制御装置、制御方法及びプログラムに関する。
【背景技術】
【０００２】
従来から、プロジェクタ等の投影装置において、投影面に対して斜めの位置から投影することにより生じる投影画面の台形歪みを補正する技術がある（例えば、特許文献１参照）。
【先行技術文献】
【特許文献】
【０００３】
【特許文献１】特開２０１１−９７６２９号公報
【発明の概要】
【発明が解決しようとする課題】
【０００４】
一般的に、特許文献１に開示されているような台形歪みを補正する際、ユーザは、投影装置本体やリモコンに設けられている十字キーを押下操作することで、縦台形補正値や横台形補正値を変更する。しかし、台形歪みを補正する場合など、ユーザが意図するように投影画面を変形させたい場合に、投影画面が意図する形状になるまで十字キーの押下操作を繰り返すことは手間がかかるという問題がある。
【０００５】
本発明は、上述のような事情に鑑みてなされたものであり、ユーザが容易に投影画面を変形させることが可能な制御装置等を提供することを目的とする。
【課題を解決するための手段】
【０００６】
上記目的を達成するため、本発明に係る制御装置は、
投影面に投影画面を投影する投影装置を制御する制御装置であって、
前記投影面に投影される前記投影画面の範囲を表示部に表示する表示制御手段と、
前記表示部に表示されている前記範囲を変形させる操作を受け付ける操作受付手段と、
前記操作受付手段により受け付けられた前記操作に応じて変形した前記範囲に対応して変形した前記投影画面を前記投影面に投影するように前記投影装置を制御する投影制御手段と、
を備えることを特徴とする。
【発明の効果】
【０００７】
本発明によれば、ユーザが容易に投影画面を変形させることができる。
【図面の簡単な説明】
【０００８】
【図１】本発明の実施形態１に係る制御システムの外観構成を示す図である。
【図２】実施形態１に係る制御装置の構成を示す概略図である。
【図３】（ａ）及び（ｃ）は、実施形態１に係るタッチパネル部に表示される投影範囲の一例、（ｂ）、（ｄ）及び（ｅ）は、実施形態１に係る投影面に投影される投影画面の一例を示す図である。
【図４】実施形態１に係る台形補正処理のフローチャートの一例を示す図である。
【図５】実施形態１に係る制御装置の構成を示す概略図である。
【図６】（ａ）及び（ｃ）は、実施形態２に係るタッチパネル部に表示される投影範囲の一例、（ｂ）及び（ｄ）は、実施形態２に係る投影面に投影される投影画面の一例を示す図である。
【図７】実施形態２に係る全体ズーム処理のフローチャートの一例を示す図である。
【発明を実施するための形態】
【０００９】
以下、本発明の実施形態について図面を参照して説明する。
【００１０】
（実施形態１）
図１は、本発明の実施形態１に係る制御システム１の外観構成を示す図である。制御システム１は、投影装置１００と、投影面２００と、制御装置３００と、記憶装置４００と、から構成される。
【００１１】
投影装置１００は、投影面２００にコンテンツを投影する装置であって、画像や映像を投影するプロジェクタから構成される。投影装置１００は、記憶装置４００に記憶されたコンテンツを、制御装置３００を介して取得し、投影画面２０１として投影面２００に投影する。また、投影装置１００は、投影レンズ（図示せず）を備え、制御装置３００によりその位置が制御される。
【００１２】
投影面２００は、投影装置１００により投影された画像や映像が投影される面である。投影面２００は、例えば、建物の壁面やスクリーンである。
【００１３】
制御装置３００は、投影装置１００及び記憶装置４００と有線または無線により通信可能に接続され、投影装置１００が投影するコンテンツを投影装置１００に出力するとともに、投影される投影画面２０１を制御する。例えば、本実施形態１において、制御装置３００は、ユーザの指２による操作に応じて、投影面２００に対して投影装置１００が斜めの位置から投影することにより生じる投影画面２０１の台形歪みの補正（台形補正）を制御する。
【００１４】
記憶装置４００は、ＨＤＤ（Hard Disk Drive）などの不揮発性メモリである。記憶装置４００は、投影装置１００が投影するコンテンツを記憶する。
【００１５】
次に、制御装置３００の構成について詳細に説明する。
【００１６】
図２は、制御装置３００の構成を示す概略図である。図２に示すように、制御装置３００は、制御部３０１と、記憶部３０２と、通信部３０３と、タッチパネル部３０４とから構成され、各部は、バス３０５により接続されている。
【００１７】
制御部３０１は、ＣＰＵ（Central Processing Unit）、ＲＯＭ（Read Only Memory)、ＲＡＭ（Random Access Memory）によって構成される。制御部３０１は、ＲＯＭに記憶されたプログラム（例えば、後述する台形補正処理に係るプログラム）を実行することにより、後述する表示制御部３１１、操作受付部３１２、投影制御部３１３の機能を実現する。
【００１８】
記憶部３０２は、ＨＤＤなどの不揮発性メモリである。
【００１９】
通信部３０３は、制御装置３００を投影装置１００と通信可能に接続するための通信インターフェースから構成される。
【００２０】
タッチパネル部３０４は、液晶パネルなどの表示部と、表示部の上に配置されるタッチパッドなどの入力部とから構成される。図１に示すように、タッチパネル部３０４は、投影面２００に投影される投影画面２０１の範囲を表す投影範囲Ａを表示する。そして、タッチパネル部３０４は、ユーザの指２から、表示されている投影範囲Ａを変形させるタッチ操作を受け付け、そのタッチ操作を表す操作信号を制御部３０１に出力する。
【００２１】
次に、制御装置３００の制御部３０１の機能構成について説明する。図２に示すように、制御部３０１は、表示制御部３１１、操作受付部３１２、投影制御部３１３として機能する。
【００２２】
表示制御部３１１は、投影面２００に投影される投影画面２０１の範囲（投影範囲）Ａをタッチパネル部３０４に表示する。例えば、表示制御部３１１は、図３（ａ）に示すように、初期状態においてタッチパネル部３０４に矩形の投影範囲Ａを表示する。また、表示制御部３１１は、操作受付部３１２が受け付けたタッチ操作に応じて、投影範囲Ａを変形させ、タッチパネル部３０４に表示する。
【００２３】
操作受付部３１２は、タッチパネル部３０４に表示されている投影範囲Ａを変形させるタッチ操作を、タッチパネル部３０４を介して受け付ける。例えば、操作受付部３１２は、タッチパネル部３０４を介して、ユーザの指２により、投影範囲Ａのいずれかの頂点に対応するタッチパネル部３０４上のタッチ位置へのタッチ操作を受け付ける。そして、操作受付部３１２は、ユーザの指２のタッチ位置が移動したと判定すると、その頂点を移動させるタッチ操作を受け付けたと判定する。例えば、操作受付部３１２が、投影範囲Ａの右上頂点Ｐに対応するタッチパネル部３０４上のタッチ位置へのタッチ操作を受け付けたとする。その後、操作受付部３１２は、ユーザの指２のタッチ位置が図３（ａ）に示す位置から図３（ｃ）に示す位置に移動したと判定すると、右上頂点Ｐを図３（ａ）に示す位置から図３（ｃ）に示す位置に移動させるタッチ操作を受け付けたと判定する。これにより、表示制御部３１１は、図３（ｃ）に示すように、右上頂点Ｐを移動させることにより投影範囲Ａを変形させ、タッチパネル部３０４に表示する。
【００２４】
投影制御部３１３は、操作受付部３１２により受け付けられたタッチ操作に応じて変形した投影範囲Ａに対応して変形した投影画面２０１を投影面２００に投影するように投影装置１００を制御する。例えば、本実施形態において、投影制御部３１３は、タッチ操作に応じて変形した投影範囲Ａの変形度合に基づいて、投影画面２０１の台形補正を行う。例えば、初期状態において、投影装置１００が、図３（ｂ）に示す投影画面２０１を投影しているとする。このとき、操作受付部３１２が、投影範囲Ａの右上頂点Ｐを図３（ａ）に示す位置から図３（ｃ）に示す位置に移動させるタッチ操作を受け付け、表示制御部３１１が投影範囲Ａを変形させると、投影制御部３１３は、右上頂点Ｐの縦方向の移動量及び横方向の移動量に対応する縦台形補正値及び横台形補正値を算出する。そして、投影制御部３１３は、算出された縦台形補正値及び横台形補正値に基づいて、投影画面２０１の画面データの台形補正を行う。そして、投影制御部３１３が、補正された画面データを投影装置１００に出力すると、投影装置１００は、図３（ｄ）に示すように、補正された画面データが表す投影画面２０１を投影面２００に投影する。
【００２５】
さらに投影制御部３１３は、変形した投影画面２０１を、投影装置１００が備える投影レンズを移動させることにより、光学的に拡大して投影面２００に投影するように投影装置１００を制御する。例えば、投影装置１００が、図３（ｄ）に示すように補正された画面データが表す投影画面２０１を投影面２００に投影すると、投影画面２０１のサイズは、図３（ｂ）に示す投影画面２０１のサイズよりも小さくなる。そのため、投影制御部３１３は、補正された画面データが表す投影画面２０１のサイズに応じて、投影装置１００が備える投影レンズを移動させることにより、投影画面２０１を光学的に拡大する制御信号を投影装置１００に出力する。そして、投影装置１００は、その制御信号に従って、投影レンズを移動させ、図３（ｅ）に示すように投影画面２０１を拡大して投影する。
【００２６】
次に、本実施形態１に係る制御装置３００の制御部３０１が実行する台形補正処理について説明する。図４は、本実施形態１に係る台形補正処理のフローチャートの一例である。この台形補正処理は、例えば、タッチパネル部３０４を介して、本処理の開始を指示するタッチ操作を受け付けたことを契機として開始される。
【００２７】
まず、表示制御部３１１は、図３（ａ）に示す初期状態の投影範囲Ａをタッチパネル部３０４に表示する（ステップＳ１０１）。
【００２８】
次に、投影制御部３１３は、記憶装置４００から投影対象のコンテンツの画面データを取得し、投影装置１００に出力する（ステップＳ１０２）。
【００２９】
そして、操作受付部３１２は、タッチパネル部３０４を介して、タッチパネル部３０４に表示されている投影範囲Ａの頂点に対応する位置へのタッチ操作を受け付けたか否かを判定する（ステップＳ１０３）。操作受付部３１２は、タッチ操作を受け付けていないと判定した場合（ステップＳ１０３；Ｎｏ）、タッチ操作を受け付けたと判定するまで待機する。
【００３０】
そして、操作受付部３１２は、タッチ操作を受け付けたと判定した場合（ステップＳ１０３；Ｙｅｓ）、今回受け付けたタッチ操作のタッチ位置が、前回受け付けたタッチ操作のタッチ位置から移動したか否かを判定する（ステップＳ１０４）。操作受付部３１２は、タッチ位置が移動していないと判定した場合（ステップＳ１０４；Ｎｏ）、ステップＳ１０３に戻って処理を繰り返す。
【００３１】
操作受付部３１２は、タッチ位置が移動したと判定した場合（ステップＳ１０４；Ｙｅｓ）、表示制御部３１１は、移動した距離及び方向に応じて頂点を移動させることにより投影範囲Ａを変形させ、タッチパネル部３０４に表示する（ステップＳ１０５）。
【００３２】
投影制御部３１３は、ステップＳ１０５における投影範囲Ａの変形に応じて投影画面２０１の画面データを補正し、投影装置１００に出力する（ステップＳ１０６）
【００３３】
さらに、投影制御部３１３は、ステップＳ１０６における補正後の画面データが表す投影画面のサイズに応じて、投影レンズを移動させることにより、投影画面２０１を光学的に拡大する制御信号を投影装置１００に出力する（ステップＳ１０７）。
【００３４】
そして、制御部３０１は、タッチパネル部３０４を介してユーザから台形補正処理を終了する指示を受け付けたか否かを判定する（ステップＳ１０８）。制御部３０１は、終了する指示を受け付けていないと判定した場合（ステップＳ１０８；Ｎｏ）、ステップＳ１０３に戻ってその後の処理を繰り返す。また、制御部３０１は、終了する指示を受け付けたと判定した場合（ステップＳ１０８；Ｙｅｓ）、本処理を終了する。
【００３５】
以上説明したように、本実施形態１に係る制御装置３００は、タッチパネル部３０４に表示された投影範囲Ａを変形させるタッチ操作を受け付け、そのタッチ操作に応じて変形した投影画面２０１を投影するよう投影装置１００を制御する。従って、ユーザは、投影範囲Ａと投影画面２０１を確認しながら、容易に投影画面２０１を自身が意図する形に変形させることができる。
【００３６】
また、制御装置３００は、タッチパネル部３０４に投影範囲Ａを表示しながらユーザの指２のタッチ操作を受け付けるため、ユーザは、投影範囲Ａへのタッチ操作を通して、直感的に投影画面２０１の変形を操作することができる。
【００３７】
また、制御装置３００は、台形補正後に縮小した投影画面２０１を光学的に拡大するよう投影装置１００に指示する。従って、台形補正後において、投影装置１００は、ユーザが視認しやすい大きさの投影画面２０１を投影面２００に投影することができる。
【００３８】
（実施形態２）
次に、本発明の実施形態２について説明する。上記の実施形態１では、制御装置３００が投影画面２０１の台形補正を制御する例について説明した。本実施形態２では、制御装置３００ａが、投影画面２０１の全体的な拡大または縮小（全体ズーム）を制御する例について説明する。なお以下の説明において、実施形態１と同様の構成については同一の符号を用い、その詳細な説明を省略する。
【００３９】
まず、実施形態２に係る制御装置３００ａの構成について詳細に説明する。図５は、実施形態２に係る制御装置３００ａの構成を示す概略図である。図３に示すように、制御装置３００は、制御部３０１が、実施形態１の表示制御部３１１及び投影制御部３１３の代わりに、表示制御部３１１ａ及び投影制御部３１３ａとして機能する点において、実施形態１に係る制御装置３００と異なる。
【００４０】
表示制御部３１１ａは、実施形態１と同様に、図６（ａ）に示すように、初期状態においてタッチパネル部３０４に矩形の投影範囲Ａを表示する。また、表示制御部３１１ａは、操作受付部３１２が受け付けたタッチ操作に応じて、投影範囲Ａを拡大または縮小して、タッチパネル部３０４に表示する。例えば、操作受付部３１２が、図６（ａ）に示すように、投影範囲Ａの右上頂点Ｐに対応するタッチパネル部３０４上のタッチ位置へのタッチ操作を受け付けたとする。その後、操作受付部３１２は、ユーザの指２のタッチ位置が図６（ａ）に示す位置から図６（ｃ）に示す位置に移動したと判定すると、右上頂点Ｐを図６（ａ）に示す位置から図６（ｃ）に示す位置に移動させるタッチ操作を受け付けたと判定する。これにより、表示制御部３１１ａは、図６（ｃ）に示すように、右上頂点Ｐとともに左上頂点Ｐ１及び右下頂点Ｐ２を移動させることにより投影範囲Ａを拡大して、タッチパネル部３０４に表示する。
【００４１】
投影制御部３１３ａは、操作受付部３１２により受け付けられたタッチ操作により拡大または縮小された投影範囲Ａに対応して拡大または縮小された投影画面２０１を投影面２００に投影するように投影装置１００を制御する。例えば、本実施形態において、投影制御部３１３ａは、投影画面２０１の全体ズームを行う。例えば、初期状態において、投影装置１００が、図６（ｂ）に示す投影画面２０１を投影しているとする。このとき、操作受付部３１２が、投影範囲Ａの右上頂点Ｐを図６（ａ）に示す位置から図６（ｃ）に示す位置に移動させるタッチ操作を受け付け、表示制御部３１１ａが投影範囲Ａを拡大させると、投影画面２０１を、投影画面２０１の拡大量に応じて、投影レンズを移動させることにより、投影画面２０１を光学的に拡大する制御信号を投影装置１００に出力する。投影装置１００は、その制御信号に従って、投影レンズを移動させて、図６（ｄ）に示すように投影画面２０１を拡大して投影する。
【００４２】
次に、本実施形態２に係る制御装置３００ａの制御部３０１が実行する全体ズーム処理について説明する。図７は、本実施形態２に係る全体ズーム処理のフローチャートの一例である。この全体ズーム処理は、例えば、タッチパネル部３０４を介して、本処理の開始を指示するタッチ操作を受け付けたことを契機として開始される。
【００４３】
まず、制御部３０１は、図４に示す実施形態１のステップＳ１０１〜Ｓ１０４と同様の処理を、ステップＳ２０１〜Ｓ２０４において実行する。
【００４４】
そして、操作受付部３１２は、タッチ位置が移動したと判定した場合（ステップＳ２０４；Ｙｅｓ）、表示制御部３１１ａは、移動した距離及び方向に応じて頂点を移動させることにより投影範囲Ａを拡大または縮小させ、タッチパネル部３０４に表示する（ステップＳ２０５）。
【００４５】
投影制御部３１３ａは、ステップＳ２０５における拡大量または縮小量に応じて、投影レンズを移動させることにより、投影画面２０１を光学的に拡大または縮小する制御信号を投影装置１００に出力する（ステップＳ２０６）。
【００４６】
そして、制御部３０１は、タッチパネル部３０４を介してユーザから全体ズーム処理を終了する指示を受け付けたか否かを判定する（ステップＳ２０７）。制御部３０１は、終了する指示を受け付けていないと判定した場合（ステップＳ２０７；Ｎｏ）、ステップＳ２０３に戻ってその後の処理を繰り返す。また、制御部３０１は、終了する指示を受け付けたと判定した場合（ステップＳ２０７；Ｙｅｓ）、本処理を終了する。
【００４７】
以上説明したように、本実施形態１に係る制御装置３００ａは、タッチパネル部３０４に表示された投影範囲Ａを拡大または縮小させるタッチ操作を受け付け、そのタッチ操作に応じて拡大または縮小した投影画面２０１を投影するよう投影装置１００を制御する。従って、ユーザは、投影範囲Ａと投影画面２０１を確認しながら、容易に投影画面２０１の全体ズームを行うことができる。
【００４８】
以上で実施形態の説明を終了するが、上記実施形態は一例であり、制御装置３００，３００ａの具体的な構成や出力制御処理の内容などが上記実施形態で説明したものに限られず、以下のような変形も可能である。
【００４９】
例えば、上記の実施形態１において、制御装置３００が画面データの台形補正を行い、補正後の画面データを投影装置１００に出力する例について説明した。しかし、制御装置３００の代わりに投影装置１００が画面データの台形補正を行ってもよい。例えば、制御装置３００は、算出された縦台形補正値及び横台形補正値に基づく投影画面２０１の画面データの台形補正を指示する制御信号を投影装置１００に出力する。そして、投影装置１００は、その制御信号に従って、画面データの台形補正を行い、補正後の画面データが表す投影画面２０１を投影面２００に投影してもよい。
【００５０】
また、上記の実施形態１及び２において、投影装置１００が投影するコンテンツは、記憶装置４００から制御装置３００，３００ａを介して投影装置１００に出力される例について説明した。しかし、投影装置１００が投影するコンテンツは、制御装置３００，３００ａを介さずに、記憶装置４００から直接投影装置１００に出力されてもよい。この場合、制御装置３００，３００ａは、台形補正や全体ズームを指示する制御信号を投影装置１００に出力することにより、投影画面２０１の台形補正及び全体ズームを制御することができる。
【００５１】
また、制御装置３００，３００ａは、選択的に実施形態１に係る台形補正処理または実施形態２に係る全体ズーム処理を実行できるように構成されてもよい。例えば、制御装置３００，３００ａは、タッチパネル部３０４を介して、ユーザから台形補正処理または全体ズーム処理を選択するタッチ操作を受け付け、選択された処理を実行してもよい。
【００５２】
また、上記の実施形態１において、制御装置３００が、投影画面２０１の台形補正を行った後に、投影画面を光学的に拡大する例について説明した。しかし、制御装置３００は、台形補正を行った後に、投影画面２０１を光学的に拡大しなくてもよい。
【００５３】
また、上記の実施形態１及び２において、投影範囲Ａを表示する表示部と、ユーザから投影範囲Ａを変形させる操作が入力される入力部とが一体となったタッチパネル部３０４を用いる例について説明した。しかし、本発明に係る入力部は表示部と一体でなくてもよい。例えば、入力部は、マウスやキーボードであってもよい。
【００５４】
また、本発明に係る制御装置３００，３００ａは、専用の装置によらず、通常のコンピュータを用いて実現可能である。例えば、コンピュータがプログラムを実行することで、制御装置３００，３００ａを実現してもよい。制御装置３００，３００ａの機能を実現するためのプログラムは、ＵＳＢ（Universal Serial Bus）メモリ、ＣＤ−ＲＯＭ（Compact Disc Read Only Memory）、ＤＶＤ（Digital Versatile Disc）、ＨＤＤ等のコンピュータ読み取り可能な記録媒体に記憶されてもよいし、ネットワークを介してコンピュータにダウンロードされてもよい。
【００５５】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００５６】
（付記１）
投影面に投影画面を投影する投影装置を制御する制御装置であって、
前記投影面に投影される前記投影画面の範囲を表示部に表示する表示制御手段と、
前記表示部に表示されている前記範囲を変形させる操作を受け付ける操作受付手段と、
前記操作受付手段により受け付けられた前記操作に応じて変形した前記範囲に対応して変形した前記投影画面を前記投影面に投影するように前記投影装置を制御する投影制御手段と、
を備える制御装置。
【００５７】
（付記２）
前記投影制御手段は、さらに、変形した前記投影画面を、前記投影装置が備える投影レンズを移動させることにより、光学的に拡大して前記投影面に投影するように前記投影装置を制御する、
ことを特徴とする付記１に記載の制御装置。
【００５８】
（付記３）
前記操作受付手段は、前記表示部を含むタッチパネルから、タッチ操作を受け付ける、
ことを特徴とする付記１または２に記載の制御装置。
【００５９】
（付記４）
前記表示制御手段は、矩形の前記範囲を表示し、
前記操作受付手段は、前記範囲のいずれかの頂点を移動させる前記操作を受け付け、
前記投影制御手段は、前記操作による前記頂点の移動量及び移動方向に対応する台形補正を行うことにより変形した前記投影画面を前記投影面に投影するように前記投影装置を制御する、
ことを特徴とする付記１乃至３のいずれか１つに記載の制御装置。
【００６０】
（付記５）
前記表示制御手段は、矩形の前記範囲を表示し、
前記操作受付手段は、前記範囲を拡大または縮小させる前記操作を受け付け、
前記投影制御手段は、前記操作により拡大または縮小された前記範囲に対応して拡大または縮小された前記投影画面を前記投影面に投影するように前記投影装置を制御する、
ことを特徴とする付記１乃至４のいずれか１つに記載の制御装置。
【００６１】
（付記６）
投影面に投影画面を投影する投影装置を制御する制御装置が実行する制御方法であって、
前記投影面に投影される前記投影画面の範囲を表示部に表示する表示制御ステップと、
前記表示部に表示されている前記範囲を変形させる操作を受け付ける操作受付ステップと、
前記操作に応じて変形した前記範囲に対応して変形した前記投影画面を前記投影面に投影するように前記投影装置を制御する投影制御ステップと、
を備える制御方法。
【００６２】
（付記７）
投影面に投影画面を投影する投影装置を制御するコンピュータを、
前記投影面に投影される前記投影画面の範囲を表示部に表示する表示制御手段、
前記表示部に表示されている前記範囲を変形させる操作を受け付ける操作受付手段、
前記操作受付手段により受け付けられた前記操作に応じて変形した前記範囲に対応して変形した前記投影画面を前記投影面に投影するように前記投影装置を制御する投影制御手段、
として機能させることを特徴とするプログラム。
【符号の説明】
【００６３】
１…制御システム、２…指、１００…投影装置、２００…投影面、２０１…投影画面、３００，３００ａ…制御装置、３０１…制御部、３０２…記憶部、３０３…通信部、３０４…タッチパネル部、３０５…バス、３１１，３１１ａ…表示制御部、３１２…操作受付部、３１３，３１３ａ…投影制御部、４００…記憶装置
【図１】
2018046511.tif 000003
【図２】
2018046511.tif 000004
【図３】
2018046511.tif 000005
【図４】
2018046511.tif 000006
【図５】
2018046511.tif 000007
【図６】
2018046511.tif 000008
【図７】
2018046511.tif 000009